(57)【特許請求の範囲】
【請求項１】
駆動信号に応答して第１光を発生する光発生部と、
パネル駆動信号を出力する第１駆動部と、
複数のゲートラインと複数のデータラインとが具備され、画像を表示する表示部及び表示部に隣接する周辺部で構成され、前記光発生部から前記第１光または外部から提供される第２光の提供を受け、前記パネル駆動信号に応答して画像を表示する表示パネルと、
前記表示パネルに具備され前記第２光の光量に対応して感知信号を出力する光感知部と、
前記感知信号と予め設定された基準値とを比較し、比較結果に従って前記駆動信号を前記光発生部に提供する第２駆動部と、
を含み、
前記周辺部は、前記ゲートラインの第１端部に隣接する第１周辺部と、前記第１端部と向き合う前記ゲートラインの第２端部に隣接する第２周辺部と、前記データラインの第３端部に隣接する第３周辺部と、前記第３端部と向き合う前記データラインの第４端部に隣接する第４周辺部と、で構成され、
前記第１駆動部は、
前記第１周辺部に具備され前記ゲートラインの第１端部と電気的に連結され前記ゲートラインにゲート信号を出力するゲート駆動回路と、
前記第３周辺部に具備され前記データラインの第３端部と電気的に連結され前記データラインにデータ信号を出力するデータ駆動回路と、を含み、
前記光感知部は、前記第１及び第２周辺部と隣接して前記表示部の一側に具備されることを特徴とする表示装置。
【請求項２】
駆動信号に応答して第１光を発生する光発生部と、
パネル駆動信号を出力する第１駆動部と、
複数のゲートラインと複数のデータラインとが具備され、画像を表示する表示部及び表示部に隣接する周辺部で構成され、前記光発生部から前記第１光または外部から提供される第２光の提供を受け、前記パネル駆動信号に応答して画像を表示する表示パネルと、
前記表示パネルに具備され前記第２光の光量に対応して感知信号を出力する光感知部と、
前記感知信号と予め設定された基準値とを比較し、比較結果に従って前記駆動信号を前記光発生部に提供する第２駆動部と、
を含み、
前記周辺部は、前記ゲートラインの第１端部に隣接する第１周辺部と、前記第１端部と向き合う前記ゲートラインの第２端部に隣接する第２周辺部と、前記データラインの第３端部に隣接する第３周辺部と、前記第３端部と向き合う前記データラインの第４端部に隣接する第４周辺部と、で構成され、
前記第１駆動部は、
前記第１周辺部に具備され前記ゲートラインの第１端部と電気的に連結され前記ゲートラインにゲート信号を出力するゲート駆動回路と、
前記第３周辺部に具備され前記データラインの第３端部と電気的に連結され前記データラインにデータ信号を出力するデータ駆動回路と、を含み、
前記光感知部は、前記第２及び第４周辺部と隣接して前記表示部の一側に具備されることを特徴とする表示装置。
【請求項３】
前記光感知部は、
前記第２光に応答して前記感知信号を出力するセンシングトランジスタと、
前記感知信号に対応する第１電圧を充電する第１ストレージキャパシタと、
前記第１ストレージキャパシタに連結され前記第１電圧がリードアウトされる第１リードアウト配線と、を含むことを特徴とする請求項１又は２記載の表示装置。
【請求項４】
前記第１駆動部は互いに従属的に連結された複数のステージからなり前記周辺部に具備され、外部から提供される第１駆動電圧、第２駆動電圧及び開始信号に応答して前記ゲートラインにゲート信号を出力するゲート駆動回路を含むことを特徴とする請求項３記載の表示装置。
【請求項５】
前記センシングトランジスタは、前記第１駆動電圧の入力を受けるドレイン電極と、前記第２駆動電圧の入力を受けるゲート電極と、前記感知信号を出力するソース電極と、からなることを特徴とする請求項４記載の表示装置。
【請求項６】
前記第１ストレージキャパシタは、前記第２駆動電圧が提供される第１電極と、前記感知信号が提供される第２電極と、で構成されることを特徴とする請求項４記載の表示装置。
【請求項７】
前記光感知部は、前記第１リードアウト配線と電気的に絶縁され前記第１リードアウト配線の上部に具備され、前記第１リードアウト配線を通じてリードアウトされる前記第１電圧の歪曲を防止するシールド配線をさらに含むことを特徴とする請求項４記載の表示装置。
【請求項８】
前記シールド配線には前記第２駆動電圧が提供されることを特徴とする請求項７記載の表示装置。
【請求項９】
前記表示部は、対応する前記ゲートラインとデータラインそれぞれに連結された画素トランジスタと、前記画素トランジスタに電気的に結合される電極部と、を含むことを特徴とする請求項７記載の表示装置。
【請求項１０】
前記電極部は、画素電極、及び前記画素電極と液晶層を間において向き合う共通電極からなり、
前記シールド配線は前記画素電極と同一層に配置され前記第１リードアウト配線と前記共通電極との間に介在されることを特徴とする請求項９記載の表示装置。
【請求項１１】
前記第１ストレージキャパシタに充電された前記第１電圧をリードアウトするリードアウト部をさらに含むことを特徴とする請求項４記載の表示装置。
【請求項１２】
前記リードアウト部は、
リードアウト信号及び前記第１電圧に応答して第２電圧を出力するリードアウトトランジスタと、
前記リードアウトトランジスタから出力された前記第２電圧を充電する第２ストレージキャパシタと、
前記第２ストレージキャパシタに連結され前記第２電圧がリードアウトされる第２リードアウト配線と、を含むことを特徴とする請求項１１記載の表示装置。
【請求項１３】
前記リードアウトトランジスタは、前記第１電圧の入力を受けるドレイン電極と、前記リードアウト信号の入力を受けるゲート電極と、前記第２電圧を出力するソース電極と、を含むことを特徴とする請求項１２記載の表示装置。
【請求項１４】
前記リードアウト信号は、前記複数のステージのうち、最後のステージの出力信号であることを特徴とする請求項１３記載の表示装置。
【請求項１５】
前記第２ストレージキャパシタは、前記第２駆動電圧が提供される第１電極と、前記第２電圧が提供される第２電極と、を含むことを特徴とする請求項１２記載の表示装置。
【請求項１６】
予め設定された時間に応じて周期的に前記感知部を初期化させるリセット部をさらに含むことを特徴とする請求項４記載の表示装置。
【請求項１７】
前記リセット部は、リセット信号の入力を受けるゲート電極と、前記第１電圧の入力を受けるドレイン電極と、前記第２駆動電圧の入力を受けるソース電極とを含むリセットトランジスタを含むことを特徴とする請求項１６記載の表示装置。
【請求項１８】
前記リセット信号は、前記開始信号であることを特徴とする請求項１７記載の表示装置。
【請求項１９】
前記第２駆動部は、前記感知信号を前記基準値と比較し、その比較結果に従って前記駆動信号を出力するＯＰ−ＡＭＰからなることを特徴とする請求項２又は３記載の表示装置。
【請求項２０】
前記駆動信号は前記光発生部をターンオンさせる第１駆動信号と、前記光発生部をターンオフさせる第２駆動信号と、からなり、
前記ＯＰ−ＡＭＰは前記感知信号が前記基準値より小さい場合前記第１駆動信号を出力し、前記感知信号が前記基準値より大きい場合前記第２駆動信号を出力することを特徴とする請求項１９記載の表示装置。
【発明の詳細な説明】
【技術分野】
【０００１】
本発明は表示装置に関し、より詳細には消費電力を節減することができる表示装置に関する。
【背景技術】
【０００２】
一般に、表示装置は光を用いて画像を表示する表示パネルを含む。光は太陽または照明などによって表示装置の外部から提供される外部光であるか、自発的に生成される内部光であり得る。
【０００３】
最近、表示装置は表示モードに応じて外部光と内部光を適切に利用することができる構造に開発されつつある。即ち、表示装置は外部光が充分なところでは外部光を用いて画像を表示し、外部光が不足するところではバックライト組立体から生成された内部光を用いて画像を表示する。
【０００４】
一般に、表示装置を駆動するに消費される電力の約７０％がバックライト組立体で消費される。特に、携帯電話、ノートブックコンピュータ及びＰＤＡのように高い電力消費効率を要求する携帯用装置においては、バックライト組立体で消費される電力を減少させる構造が切実である。
【発明の開示】
【発明が解決しようとする課題】
【０００５】
しかし、表示装置の消費電力を減少させるためのバックライト組立体に提供される電力を減少させると、バックライト組立体から出射される内部光の光量が減少して表示装置の全体的輝度が低下されることになり得る。
【０００６】
従って、本発明の目的は消費消費電力を節減するための表示装置を提供することにある。
【課題を解決するための手段】
【０００７】
上記課題を解決するために、発明１では、
駆動信号に応答して第１光を発生する光発生部と、
パネル駆動信号を出力する第１駆動部と、
複数のゲートラインと複数のデータラインとが具備され、画像を表示する表示部及び表示部に隣接する周辺部で構成され、前記光発生部から前記第１光または外部から提供される第２光の提供を受け、前記パネル駆動信号に応答して画像を表示する表示パネルと、
前記表示パネルに具備され前記第２光の光量に対応して感知信号を出力する光感知部と、
前記感知信号と予め設定された基準値とを比較し、比較結果に従って前記駆動信号を前記光発生部に提供する第２駆動部と、
を含み、
前記周辺部は、前記ゲートラインの第１端部に隣接する第１周辺部と、前記第１端部と向き合う前記ゲートラインの第２端部に隣接する第２周辺部と、前記データラインの第３端部に隣接する第３周辺部と、前記第３端部と向き合う前記データラインの第４端部に隣接する第４周辺部と、で構成され、
前記第１駆動部は、
前記第１周辺部に具備され前記ゲートラインの第１端部と電気的に連結され前記ゲートラインにゲート信号を出力するゲート駆動回路と、
前記第３周辺部に具備され前記データラインの第３端部と電気的に連結され前記データラインにデータ信号を出力するデータ駆動回路と、を含み、
前記光感知部は、前記第１及び第２周辺部と隣接して前記表示部の一側に具備されることを特徴とする表示装置を提供する。
【０００８】
発明２では、
駆動信号に応答して第１光を発生する光発生部と、
パネル駆動信号を出力する第１駆動部と、
複数のゲートラインと複数のデータラインとが具備され、画像を表示する表示部及び表示部に隣接する周辺部で構成され、前記光発生部から前記第１光または外部から提供される第２光の提供を受け、前記パネル駆動信号に応答して画像を表示する表示パネルと、
前記表示パネルに具備され前記第２光の光量に対応して感知信号を出力する光感知部と、
前記感知信号と予め設定された基準値とを比較し、比較結果に従って前記駆動信号を前記光発生部に提供する第２駆動部と、
を含み、
前記周辺部は、前記ゲートラインの第１端部に隣接する第１周辺部と、前記第１端部と向き合う前記ゲートラインの第２端部に隣接する第２周辺部と、前記データラインの第３端部に隣接する第３周辺部と、前記第３端部と向き合う前記データラインの第４端部に隣接する第４周辺部と、で構成され、
前記第１駆動部は、
前記第１周辺部に具備され前記ゲートラインの第１端部と電気的に連結され前記ゲートラインにゲート信号を出力するゲート駆動回路と、
前記第３周辺部に具備され前記データラインの第３端部と電気的に連結され前記データラインにデータ信号を出力するデータ駆動回路と、を含み、
前記光感知部は、前記第２及び第４周辺部と隣接して前記表示部の一側に具備されることを特徴とする表示装置を提供する。
【０００９】
前記光感知部は、前記表示パネルに具備され前記第２光の光量に対応して感知信号を出力する。前記第２駆動部は、前記感知信号と予め設定された基準値とを比較し、比較結果に従って前記駆動信号出力する。
【００１０】
第２光が不足する場合液晶表示パネルは第１光を用いて画像を表示し、前第２光が充分な場合液晶表示パネルは第２光のみを用いて画像を表示する。従って、液晶表示装置は、第２光の光量の変化に適切に対応して光発生部をターンオン/オフさせることで、液晶表示装置の輝度低下なしに液晶表示装置を駆動するのに消費される電力を節減させることができる。
【００１１】
ここで、前記表示パネルは複数のゲートラインと複数のデータラインとが具備され、画像を表示する表示部及び表示部に隣接する周辺部で構成され、
前記光感知部が前記表示部に具備されると、光感知部が、表示部において第２光の光量の変化を適切に検出することで、光発生部をターンオン/オフを適切に行うことができる。
【００１２】
前記光感知部が、前記第４周辺部と隣接して前記表示部の一側に具備されると、ゲートラインの第１端部にはゲート駆動回路が配置され、データラインの第３端部にはデータ駆動回路が配置される。よって、データラインの第４端部には、ゲート駆動回路及びデータ駆動回路が配置されておらずゲートライン及びデータラインが延在しない。この第４端部に隣接する第４周辺部に光感知部を配置することで、光感知部がゲートライン及びデータラインと交差せず、表示領域に提供されるゲート信号及びデータ信号の歪曲を防止することができる。
【００１３】
発明３は、前記光感知部は、前記第２光に応答して前記感知信号を出力するセンシングトランジスタと、前記感知信号に対応する第１電圧を充電する第１ストレージキャパシタと、前記第１ストレージキャパシタに連結され前記第１電圧がリードアウトされる第１リードアウト配線と、を含むことを特徴とする表示装置を提供する。
【００１４】
発明４は、前記第１駆動部は互いに従属的に連結された複数のステージからなり前記周辺部に具備され、外部から提供される第１駆動電圧、第２駆動電圧及び開始信号に応答して前記ゲートラインにゲート信号を出力するゲート駆動回路を含むことを特徴とする表示装置を提供する。
【００１５】
発明５は、前記センシングトランジスタは、前記第１駆動電圧の入力を受けるドレイン電極と、前記第２駆動電圧の入力を受けるゲート電極と、前記感知信号を出力するソース電極と、からなることを特徴とする表示装置を提供する。
【００１６】
発明６は、前記第１ストレージキャパシタは、前記第２駆動電圧が提供される第１電極と、前記感知信号が提供される第２電極と、で構成されることを特徴とする表示装置を提供する。
【００１７】
発明７は、前記光感知部は、前記第１リードアウト配線と電気的に絶縁され前記第１リードアウト配線の上部に具備され、前記第１リードアウト配線を通じてリードアウトされる前記第１電圧の歪曲を防止するシールド配線をさらに含むことを特徴とする表示装置を提供する。
【００１８】
発明８は、前記シールド配線には前記第２駆動電圧が提供されることを特徴とする表示装置を提供する。
【００１９】
発明９は、前記表示部は、対応する前記ゲートラインとデータラインそれぞれに連結された画素トランジスタと、前記画素トランジスタに電気的に結合される電極部と、を含むことを特徴とする表示装置を提供する。
【００２０】
発明１０は、前記電極部は、画素電極、及び前記画素電極と液晶層を間において向き合う共通電極からなり、
前記シールド配線は前記画素電極と同一層に配置され前記第１リードアウト配線と前記共通電極との間に介在されることを特徴とする表示装置を提供する。
【００２１】
発明１１は、前記第１ストレージキャパシタに充電された前記第１電圧をリードアウトするリードアウト部をさらに含むことを特徴とする表示装置を提供する。
【００２２】
発明１２は、前記リードアウト部は、リードアウト信号及び前記第１電圧に応答して第２電圧を出力するリードアウトトランジスタと、前記リードアウトトランジスタから出力された前記第２電圧を充電する第２ストレージキャパシタと、前記第２ストレージキャパシタに連結され前記第２電圧がリードアウトされる第２リードアウト配線と、を含むことを特徴とする表示装置を提供する。
【００２３】
発明１３は、前記リードアウトトランジスタは、前記第１電圧の入力を受けるドレイン電極と、前記リードアウト信号の入力を受けるゲート電極と、前記第２電圧を出力するソース電極と、を含むことを特徴とする表示装置を提供する。
【００２４】
発明１４は、前記リードアウト信号は、前記複数のステージのうち、最後のステージの出力信号であることを特徴とする表示装置を提供する。
【００２５】
発明１５は、前記第２ストレージキャパシタは、前記第２駆動電圧が提供される第１電極と、前記第２電圧が提供される第２電極と、を含むことを特徴とする表示装置を提供する。
【００２６】
発明１６は、予め設定された時間に応じて周期的に前記感知部を初期化させるリセット部をさらに含むことを特徴とする表示装置を提供する。
【００２７】
発明１７は、前記リセット部は、リセット信号の入力を受けるゲート電極と、前記第１電圧の入力を受けるドレイン電極と、前記第２駆動電圧の入力を受けるソース電極とを含むリセットトランジスタを含むことを特徴とする表示装置を提供する。
【００２８】
発明１８は、前記リセット信号は、前記開始信号であることを特徴とする表示装置を提供する。
【００２９】
発明１９は、前記第２駆動部は、前記感知信号を前記基準値と比較し、その比較結果に従って前記駆動信号を出力するＯＰ−ＡＭＰからなることを特徴とする表示装置を提供する。
【００３０】
発明２０は、前記駆動信号は前記光発生部をターンオンさせる第１駆動信号と、前記光発生部をターンオフさせる第２駆動信号と、からなり、
前記ＯＰ−ＡＭＰは前記感知信号が前記基準値より小さい場合前記第１駆動信号を出力し、前記感知信号が前記基準値より大きい場合前記第２駆動信号を出力することを特徴とする表示装置を提供する。
【発明の効果】
【００４２】
このような表示装置によると、前記第２光の光量によって前記光発生部をターンオン/オフさせることができ、前記表示装置を駆動するに消費される電力を節減させることができる。
【発明を実施するための最良の形態】
【００４３】
以下、図面を参照して本発明の望ましい一実施形態をより詳細に説明する。
【００４４】
図１は本発明の一実施形態による液晶表示装置のブロック図である。
【００４５】
図１に示すように、一実施形態による液晶表示装置７００は、画像を表示する液晶表示パネル１００、前記液晶表示パネル１００を駆動するパネル駆動信号を出力する第１駆動部２００、前記液晶表示パネル１００に内部光Ｌ１を提供する光発生部３００、及び前記光発生部３００を駆動する第２駆動部６００を含む。
【００４６】
前記液晶表示パネル１００には前記液晶表示パネル１００に提供される外部光Ｌ２の光量に応答して光電流IpHを出力する光感知部４００が具備される。前記第２駆動部６００は前記光感知部４００から出力された前記光電流IPHに応答して前記発生部３００を駆動させる駆動電圧ＶＯＵＴを出力する。
【００４７】
前記光発生部３００が前記駆動電圧ＶＯＵＴに応答して前記内部光Ｌ１を出力する場合、出力された前記内部光Ｌ１は前記液晶表示パネル１００に提供される。従って、前記液晶表示パネル１００は前記内部光Ｌ１を用いて画像を表示する。一方、前記光発生部３００が前記駆動電圧ＶＯＵＴに応答して前記内部光Ｌ１を出力しない場合、前記液晶表示パネル１００は前記外部光Ｌ２のみを用いて画像を表示する。即ち、外部光Ｌ２が不足する場合前記液晶表示パネル１００は前記内部光Ｌ１を用いて画像を表示し、前記外部光Ｌ２が充分な場合前記液晶表示パネル１００は前記外部光Ｌ２のみを用いて画像を表示する。
【００４８】
従って、前記液晶表示装置７００は、前記外部光Ｌ２の光量の変化に適切に対応して前記光発生部３００をターンオン/オフさせることで、前記液晶表示装置７００の輝度低下なしに前記液晶表示装置７００を駆動するに消費される電力を節減させることができる。
【００４９】
図２は図１に示された液晶表示装置の平面図であり、図３は図２に示された液晶表示装置の断面図である。
【００５０】
図２及び図３に示すように、前記液晶表示装置７００は、下部基板１１０、前記下部基板１１０と向き合う上部基板１２０、前記下部基板１１０と上部基板１２０との間に介在された液晶層１３０、及び結合部材１３５で構成される液晶表示パネル１００を含む。前記液晶表示パネル１００は、画像を表示する表示領域ＤＡ、前記表示領域ＤＡに隣接し、前記表示領域ＤＡを取り囲む第１、第２、第３及び第４周辺領域ＰＡ１、ＰＡ２、ＰＡ３、ＰＡ４を有する。
【００５１】
前記下部基板１００は前記表示領域ＤＡに対応して第１基板１０１上にマトリックス状に具備された複数の画素部ＰＰを有する。前記複数の画素部ＰＰそれぞれは、画素ＴＦＴ（ＴＲ１）及び画素電極ＰＥからなる。前記表示領域ＤＡに対応して前記第１基板１０１上には前記第１方向Ｄ１に延長された第１乃至第ｎゲートラインＧＬ１〜ＧＬｎ、及び前記第１方向Ｄ１と実質的に直交する第２方向Ｄ２に延長された第１乃至第ｍデータラインＤＬ１〜ＤＬｍが具備される。例えば、前記画素ＴＦＴ（ＴＲ１）のゲート電極ＧＥ１は第１ゲートラインＤＬ１に連結され、ソース電極ＳＥ１は第１データラインＤＬ１に連結され、ドレイン電極ＤＥ１は前記画素電極ＰＥと結合する。
【００５２】
前記第１周辺領域ＰＡ１は、前記第１乃至第ｎゲートラインＧＬ１〜ＧＬｎの第１端部に隣接する領域であり、前記第２周辺領域ＰＡ２は前記第１端部と向き合う前記第１乃至第ｎゲートラインＧＬ１〜ＧＬｎの第２端部に隣接する領域である。また、前記第３周辺領域ＰＡ３は、前記第１乃至第ｍデータラインＤＬ１〜ＤＬｍの第３端部に隣接する領域であり、前記第４周辺領域ＰＡ４は、前記第３端部と向き合う前記第１乃至第ｍデータラインＤＬ１〜ＤＬｍの第４端部に隣接する領域である。
【００５３】
前記上部基板１２０は遮光膜１２１、カラーフィルター１２２及び共通電極ＣＥを含む。前記カラーフィルター１２２は光によって所定の色に発現されるＲ、Ｇ、Ｂ色画素からなる。前記遮光膜１２１は前記表示領域ＤＡで前記Ｒ、Ｇ、Ｂ色画素の間に具備され前記Ｒ、Ｇ、Ｂ色画素の間の干渉を排除して色再現性を向上させる。また、前記遮光膜１２１は前記第１乃至第４周辺領域ＰＡ１、ＰＡ２、ＰＡ３、ＰＡ４に対応して形成される。前記共通電極ＣＥは、前記遮光膜１２１及びカラーフィルター１２２上に均一な厚さに積層される。前記共通電極ＣＥは、前記液晶層１３０を間に置いて前記画素電極ＰＥと向き合う液晶キャパシタＣｌｃを形成する。
【００５４】
前記液晶表示パネル１００を駆動する第１駆動部２００は、前記第１周辺領域ＰＡ１に実装されるゲート駆動チップ２１０、及び前記第３周辺領域ＰＡ３に実装されるデータ駆動チップ２２０で構成される。
【００５５】
前記ゲート駆動チップ２１０は、前記第１周辺領域ＰＡ１で前記ゲートラインＧＬ１〜ＧＬｎの第１端部と電気的に連結され、前記ゲートラインＧＬ１〜ＧＬｎに順次にゲート信号を出力する。前記データ駆動チップ２２０は、前記第３周辺領域ＰＡ３で前記データラインＤＬ１〜ＤＬｍの第３端部と電気的に連結され、前記データラインＤＬ１〜ＤＬｍにデータ信号を出力する。
【００５６】
前記第４周辺領域ＰＡ４と隣接する前記表示領域ＤＡの一側部ＳＰには光感知部４００が具備される。前記光感知部４００は、前記液晶表示パネル１００の外部から提供される外部光（Ｌ２、図１に図示）の光量を感知して前記外部光Ｌ２の光量に相応して前記光電流（ＩPH、図１に図示）を出力する。前記外部光Ｌ２の光量が増加すると、前記光電流ＩPHは増加し、前記外部光Ｌ２の光量が減少すると前記光電流ＩPHは減少する。
【００５７】
前記データ駆動チップ２２０は、前記データラインＤＬ１〜ＤＬｍの第３端部のみに電気的に連結されるので、前記データラインＤＬ１〜ＤＬｍの第４端部は前記第４周辺領域ＰＡまで延びない。従って、前記表示領域ＤＡの一側部ＳＰに前記光感知部４００が具備されても、前記光感知部４００は前記データラインＤＬ１〜ＤＬｍと交差しない。これにより、前記光感知部４００が前記表示領域ＤＡに具備されても、前記光感知部４００によって、前記表示領域ＤＡに提供されるゲート信号またはデータ信号の歪曲を防止することができる。
【００５８】
一方、前記第３周辺領域ＰＡ３には回路可撓性基板１４０が付着される。前記回路可撓性基板１４０は外部から各種信号の入力を受け前記ゲート駆動チップ２１０、データ駆動チップ２２０及び光感知部４００に提供する。
【００５９】
図４は本発明の他の実施形態による液晶表示装置を示す平面図である。図４において、図３に示された構成要素と同一の構成要素については同一の参照符号を併記し、その具体的な説明は省略する。
【００６０】
図４に示すように、本発明の他の実施形態による光感知部４００は、前記第４周辺領域ＰＡと隣接する前記表示領域ＤＡの第１側部ＳＰ１だけではなく、前記第２周辺領域ＰＡ２と隣接する前記表示領域ＤＡの第２側部ＳＰ２にさらに具備される。
【００６１】
前記データ駆動チップ２２０は、前記第１乃至第ｍデータラインＤＬ１〜ＤＬｍの第３端部のみに電気的に連結されるので前記第１ないし第ｍデータラインＤＬ１〜ＤＬｍの第４端部は前記第４周辺領域ＰＡ４まで延びない。従って、前記表示領域ＤＡの第１側部ＳＰ１に前記光感知部４００が具備されても、前記光感知部４００が前記第１乃至第ｍデータラインＤＬ１〜ＤＬｍと交差されることを防止することができる。
【００６２】
また、ゲート駆動チップ１２０は、第１乃至第ｎゲートラインＤＬ１〜ＧＬｎの第１端部のみに電気的に連結されるので、前記第１乃至第ｎゲートラインＧＬ１〜ＧＬｎの第２端部は前記第２周辺領域ＰＡ２まで延長されない。従って、前記表示領域ＤＡの第２側部ＳＰ２に前記光感知部４００が具備されても、前記光感知部４００は前記ゲートラインＤＬ１〜ＤＬｎと交差されない。
【００６３】
これにより、前記光感知部４００が前記表示領域ＤＡに具備されても、前記光感知部４００によって、前記表示領域ＤＡに提供されるゲート信号またはデータ信号の歪曲を防止することができる。
【００６４】
本発明の他の実施形態による液晶表示装置７１０は、前記第１側部ＳＰ１だけではなく、前記第２側部ＳＰ２に前記光感知部４００を具備することで、本発明の一実施形態による液晶表示装置７００より外部光Ｌ２の光量をさらに正確に感知することができる。
【００６５】
図５は本発明のさらにまたの実施形態による液晶表示装置を示す平面図である。
【００６６】
図５に示すように、本発明のさらにまたの実施形態において、光感知部４００は、前記第２周辺領域ＰＡ２と隣接する前記表示領域ＤＡの第２側部ＳＰ２、及び前記第１周辺領域ＰＡ１と隣接する前記表示領域ＤＡの第３側部ＳＰ３に具備される。
【００６７】
前記表示領域ＤＡで、前記第１乃至第ｍデータラインＤＬ１〜ＤＬｍの長さは、前記第１乃至第ｎゲートラインＧＬ１〜ＧＬｎの長さより長い。従って、液晶表示パネル１００は前記第１ないし第ｎゲートラインＧＬ１〜ＧＬｎが延長された第１方向Ｄ１より前記第１乃至第ｍデータラインＤＬ１〜ＤＬｍが延長された第２方向Ｄ２の方に長く形成される。
【００６８】
従って、前記表示領域ＤＡの第２及び第３側部ＳＰ２、ＳＰ３に形成される前記光感知部４００の面積を最大化することができる。その結果、本発明のさらにまたの実施形態による液晶表示装置７２０は、本発明の一実施形態による液晶表示装置７００、７１０よりさらに多くの光感知部４００を具備することで、外部光Ｌ２の光量をさらに正確に感知することができる。
【００６９】
一方、前記ゲート駆動チップ２１０は第１乃至第ｎゲートＧＬ１〜ＧＬｎの第１端部のみに電気的に連結されるので、前記第１乃至第ｎゲートラインＧＬ１〜ＧＬｎの第２端部は前記第２周辺領域ＰＡ２まで延長されない。従って、前記表示領域ＤＡの第２側部ＳＰ２に前記光感知部４００が具備されても前記光感知部４００は前記第１乃至第ｎゲートラインＧＬ１〜ＧＬｎと交差しない。
【００７０】
これにより、前記光感知部ＧＬ１〜ＧＬｍが前記表示領域ＤＡに具備されても、前記光感知部４００によって、前記表示領域ＤＡに提供されるゲート信号またはデータ信号の歪曲を防止することができる。
【００７１】
図２乃至図５では、ゲート駆動回路がチップ形態に前記液晶表示パネル１００の第１周辺領域ＰＡ１上に実装される構造を示したが、図面に図示されてはいないが、前記ゲート駆動回路はＴＦＴ工程を通じて前記下部基板１１０に形成されることができる。
【００７２】
図６は図１に示された液晶表示装置を具体的に示す回路図であり、図７はゲート駆動チップの入/出力波形図である。
【００７３】
図６に示すように、前記表示領域ＤＡの一側部ＳＰには前記光感知部４００が具備され、前記表示領域ＤＡと隣接する前記第１及び第３周辺領域ＰＡ１、ＰＡ３には前記ゲート駆動チップ２１０と前記データ駆動チップ２２０がそれぞれ実装される。
【００７４】
前記光感知部４００についての説明は、図８及び図９を参照してさらに詳細に説明する。
【００７５】
前記ゲート駆動チップ２１０は、互いに従属的に連結された複数のステージＳＲＣ１〜ＳＲＣｎ＋１を含む一つのシフトレジスタからなる。第１乃至第ｎゲートラインＧＬ１〜ＧＬｎは前記複数のステージＳＲＣ１〜ＳＲＣｎにそれぞれ連結され、対応するステージから出力されるゲート信号の入力を受ける。
【００７６】
前記ゲート駆動チップ２１０に隣接して前記第１周辺領域ＰＡ１には第１方向（Ｄ１、図２に図示）に延長された第１及び第２駆動電圧配線ＶＯＮＬ、ＶＯＦＦＬが具備される。また、前記第１駆動電圧配線ＶＯＮＬに隣接し、一番目のステージにＳＲＣ１に開始信号ＳＴを提供する開始信号配線ＳＴＬがさらに具備される。
【００７７】
図７に示されたように、第１フレームＦＲＡＭＥ１（Ｆ１）で前記一番目のステージＳＲＣ１は前記開始信号ＳＴが提供されると、前記一番目のステージＳＲＣ１はゲート信号を第１ゲートラインＧＬ１に提供する。
【００７８】
以後、２番目のステージＳＲＣ２は、前記一番目のステージＳＲＣ１から出力された前記ゲート信号に応答して第２ゲートラインＧＬ２にゲート信号を出力する。このような過程が繰り返され前記第１フレーム（Ｆ１）の間第１ゲートラインＧＬ１から第ｎゲートラインＧＬｎまで前記ゲート信号が順次に出力される。
【００７９】
再度、前記一番目のステージＳＲＣ１に前記開始信号ＳＴが印加されることによって第２フレームＦＲＡＭＥ２（Ｆ２）が始まる。前記第２フレーム（Ｆ２）も前記第１フレーム（Ｆ１）と同一の過程を繰り返す。
【００８０】
ここで、前記第１フレーム（Ｆ１）と第２フレーム（Ｆ２）との間にはブランク区間ＢＬが存在する。前記ブランク区間ＢＬは前記第１フレーム（Ｆ１）で前記第１乃至第ｎゲートラインＧＬ１〜ＧＬｎに出力されたゲート信号を放電させ、前記第１乃至第ｎゲートラインＧＬ１〜ＧＬｎを初期化する区間である。
【００８１】
一方、前記複数のステージＳＲＣ１〜ＳＲＣｎ＋１のうち、最後のステージＳＲＣｎ＋１はｎ番目ステージＳＲＣｎを駆動するために具備された第１ダミーステージである。
【００８２】
図８は図６に示された光感知部の構成を具体的に示す回路図であり、図９は図１に示された各ノードの出力波形図である。
【００８３】
図６及び図８に示すように、前記光感知部４００は、複数のセンサーＴＦＴ（ＴＲ２）、複数の第１ストレージキャパシタＣｓｌ及び第１リードアウトライン配線ＲＬ１を含む。
【００８４】
前記センサーＴＦＴ（ＴＲ２）それぞれは、前記第２駆動電圧配線ＶＯＦＦＬ（第２駆動電圧ＶＯＦＦ）に連結されたゲート電極ＧＥ２、前記第１駆動電圧配線ＶＯＮＬ（第１駆動電圧ＶＯＮ）に連結されたドレイン電極ＤＥ２、第１リードアウト配線ＲＬ１に連結されたソース電極ＳＥ２で構成される。前記複数のセンサーＴＦＴ（ＴＲ２）は外部から提供される外部光Ｌ２に応答して前記ソース電極ＳＥ２に光電流ＩPHを出力する。
【００８５】
前記第１ストレージキャパシタＣｓ１それぞれは、前記第２駆動電圧配線ＶＯＦＦＬに連結された第１電極ＬＥ１、及び前記第１リードアウトライン配線ＲＬ１に連結され前記第１電極ＬＥ１と絶縁され向き合う第２電極ＵＥ１で構成される。前記第１ストレージキャパシタＣｓ１は前記センサーＴＦＴ（ＴＲ２）から出力された前記光電流ＩPHに対応する第１電圧Ｖ１を充電する。
【００８６】
前記第１リードアウトライン配線ＲＬ１は前記第１ストレージキャパシタＣｓ１に共通的に連結され、前記第１ストレージキャパシタＣｓ１に充電された前記第１電圧Ｖ１は前記第１リードアウト配線ＲＬ１を通じてリードアウトされる。前記第１リードアウト配線ＲＬ１は前記表示領域ＤＡで前記第１周辺領域ＰＡ１に延長される。以後、前記第１リードアウト配線ＲＬ１は前記第１周辺領域ＰＡ１で前記データラインＤＬ１と実質的に平行な方向に折曲され前記第３周辺領域ＰＡ３に延長される。
【００８７】
前記第３周辺領域ＰＡ３にはリードアウト部５００がさらに具備される。前記リードアウト部５００は、リードアウトＴＦＴ（ＴＲ３）、第２ストレージキャパシタＣｓ２、及び第２リードアウト配線ＲＬ２を含む。前記リードアウトＴＦＴ（ＴＲ３）のゲート電極ＧＥ３は前記シフトレジスタの最後のステージＳＲＣｎ＋１の出力端子に連結され、ドレイン電極ＤＥ３は前記第１リードアウト配線ＲＬ１に連結され、ソース電極ＳＥ３は前記第２リードアウト配線ＲＬ２に連結される。前記第２ストレージキャパシタの第１電極ＬＥ２は前記第２駆動電圧配線に連結され、第２電極ＵＥ２は前記第２リードアウト配線ＲＬ２に連結される。
【００８８】
前記最後のステージＳＲＣｎ＋１から出力された出力信号に応答して前記リードアウトＴＦＴ（ＴＲ３）がターンオンされると、前記第１リードアウト配線ＲＬ１に提供された第１電圧Ｖ１は前記リードアウトＴＦＴ（ＴＲ３）を通過して前記第２ストレージキャパシタに充電される。
【００８９】
前記第２駆動部６００は前記リードアウト部５００と電気的に連結された一つのオペアンプ（以下、ＯＰ−ＡＭＰ）からなる。前記ＯＰ−ＡＭＰ６００は予め設定された基準電圧ＶＲＦＦと前記第２リードアウト配線ＲＬ２から出力された電圧とを比較する。前記ＯＰ−ＡＭＰ６００は第１制御電圧Ｖ＋と第２制御電圧Ｖ−の入力を受け、これらの比較結果によって前記第１及び第２制御電圧Ｖ＋、Ｖ−のうちいずれかひとつを出力する。前記ＯＰ−ＡＭＰ６００から出力される出力電圧ＶＯＵＴは前記第１または第２制御電圧Ｖ＋、Ｖ−になる。
【００９０】
一方、前記第１周辺領域ＰＡ１には所定の時間間隔に前記光感知部４００を初期化させるリセット部５５０がさらに具備される。前記リセット部５５０は、前記開始信号配線ＳＴＬに連結されるゲート電極ＧＥ４、前記第１リードアウト配線ＲＬ１に連結されるドレイン電極ＤＥ４、及び前記第２駆動電圧配線ＶＯＦＦＬ（第２駆動電圧ＶＯＦＦ）に連結されたソース電極ＳＥ４からなるリセットＴＦＴ（ＴＲ４）を含む。
【００９１】
前記リセットＴＦＴ（ＴＲ４）は、前記開始信号に応答して前記第１ストレージキャパシタＣｓ１に充電される電荷を前記第２駆動電圧配線ＶＯＦＦＬを通じて前記第２駆動電圧ＶＯＦＦに放電させる。従って、前記リセットＴＦＴ（ＴＲ４）は前記第１ストレージキャパシタＣｓ１を周期的に初期化することができる。
【００９２】
図９に示されたように、前記外部光Ｌ２の光量が相対的に少ないと、前記センサーＴＦＴ（ＴＲ２）から出力される前記光電流ＩPHも微弱である。また、前記光電流ＩPHに対応して前記第１ストレージキャパシタＣｓ１に充電される第１電圧Ｖ１も微弱であるため、第１フレームＦ１のように前記第１電圧Ｖ１は第２駆動電圧ＶＯＦＦから微弱に上昇する。
【００９３】
以後、前記最後のステージＳＲＣｎ＋１から出力された出力信号に応答して前記リードアウトＴＦＴ（ＴＲ３）がターンオンされる。従って、前記第１リードアウト配線ＲＬ１に提供される前記第１電圧Ｖ１は前記リードアウトＴＦＴ（ＴＲ３）を通過して前記第２ストレージキャパシタＣｓ２に充電される。
【００９４】
前記ＯＰ−ＡＭＰ６００は前記第２ストレージキャパシタＣｓ２に充電された第２電圧Ｖ２を前記第２リードアウト配線ＲＬ２を通じて入力を受け予め設定された基準電圧ＶＲＦＦと比較する。前記第２電圧Ｖ２は、前記基準電圧ＶＲＦＦより小さいので、前記ＯＰ−ＡＭＰ６００から出力される出力電圧ＶＯＵＴは前記第２制御電圧Ｖ−と同一の電圧レベルを有する。
【００９５】
以後、第２フレームＦ２を始める前記開始信号ＳＴに応答して前記リセットＴＦＴ（ＴＲ４）がターンオンされると、前記第１ストレージキャパシタＣｓ１に充電された前記第１電圧Ｖ１が前記第２駆動電圧ＶＯＦＦに放電される。即ち、前記リセットＴＦＴ（ＴＲ４）は各フレームが始まるとき、前記光感知部４００を初期化させる役割を遂行する。
【００９６】
一方、前記外部光Ｌ２の光量が相対的に多いと、前記センサーＴＦＴ（ＴＲ２）から出力される前記光電ＩPHの量も増加する。また、前記光電流ＩPHに対応して前記第１ストレージキャパシタＣｓ１に充電される第１電圧Ｖ１も大きく上昇して、第２フレームＦ２のように前記第１電圧Ｖ１は前記第２駆動電圧ＶＯＦＦから第１駆動電圧ＶＯＮまで上昇する。
【００９７】
以後、前記最後のステージＳＲＣｎ＋１から出力された出力信号に応答して前記リードアウトＴＦＴ（ＴＲ３）がターンオンされる。従って、前記第１リードアウト配線ＲＬ１に提供された前記第１電圧Ｖ１は前記リードアウトＴＦＴ（ＴＲ３）を通過して前記第２ストレージキャパシタＣｓ２に充電される。
【００９８】
前記ＯＰ−ＡＭＰ６００は前記第２ストレージキャパシタＣｓ２に充電される第２電圧Ｖ２を前記第２リードアウト配線ＲＬ２を通じて入力を受け前記基準電圧ＶＲＦＦと比較する。前記第２電圧Ｖ２は前記基準電圧ＶＲＦＦより大きいので、前記ＯＰ−ＡＭＰ６００から出力される駆動電圧ＶＯＵＴは前記第１制御電圧Ｖ＋と同一の電圧レベルを有する。
【００９９】
また、図１、図８及び図９に示すように、前記ＯＰ−ＡＭＰ（６００、図８参照）から出力される出力電圧ＶＯＵＴは前記外部光Ｌ２の光量によって第１制御電圧Ｖ＋の電圧レベルまたは第２制御電圧Ｖ−の電圧レベルを有する。前記第１制御電圧Ｖ＋が前記駆動電圧ＶＯＵＴとして前記ＯＰ−ＡＭＰ６００から出力される場合、前記光発生部３００（図１に図示）は前記駆動電圧ＶＯＵＴに応答して前記内部光Ｌ１を出力することができない。しかし、前記第２制御電圧Ｖ−が前記駆動電圧ＶＯＵＴとして前記ＯＰ−ＡＭＰ６００から出力される場合、前記光発生部３００は前記駆動電圧ＶＯＵＴに応答して前記内部光Ｌ１を出力する。
【０１００】
これにより、前記液晶表示装置７００は外部光Ｌ２の光量に適切に対応して前記光発生部３００をオン/オフさせることができ、従って、前記液晶表示装置７００を駆動するに消費される電力を節減させることができる。
【０１０１】
図６及び図８では、前記リードアウトＴＦＴ（ＴＲ３）のゲート電極ＧＥ３が前記最後のステージＳＲＣｎ＋１に連結された構造のみを図示した。
【０１０２】
しかし、前記リードアウトＴＦＴ（ＴＲ３）のゲート電極ＧＥ３は前記ゲート駆動チップ２１０を構成する複数のステージＳＲＣ１〜ＳＲＣｎ＋１のうち、いずれか一つと連結されることができる。しかし、ライン抵抗を考慮する時前記リードアウトＴＦＴ（ＴＲ３）のゲート電極ＧＥ３は最後のステージＳＲＣｎ＋１またはｎ番目のステージＳＲＣｎに連結されることが望ましい。
【０１０３】
図示していないが、前記ゲート駆動回路２１０は前記一番目のステージＳＲＣ１の前端に前記リセット部５５０を駆動させるための第２ダミーステージをさらに具備することができる。前記リセット部５５０には前記開始信号の代りに前記第２ダミーステージの出力が提供され、前記リセット部５５０は前記開始信号によって前記一番目のステージＳＲＣ１が動作される以前に駆動される。従って、前記リセット部５５０は前記ゲート駆動部２１０が動作する以前に前記光感知部４００を初期化することができる。
【０１０４】
一方、本発明の一実施形態として前記第２駆動部２００は一つのＯＰ−ＡＭＰからなり、前記光発生部３０のオン/オフ動作のみを制御する。しかし、前記第２駆動部２００は前記外部光Ｌ２の光量に応じて、前記光発生部３００から出力される前記内部光Ｌ１の強度を調節することができるように構成されることができる。
【０１０５】
図１０は本発明の他の実施形態による液晶表示パネルを具体的に示す回路図であり、図１１は図１０に示された光感知部の構成を具体的に示す回路図である。但し、図１０及び図１１では図１乃至図９に示された構成要素と同一の構成要素については同一の参照符号を併記し、それについての具体的な説明は省略する。
【０１０６】
図１０及び図１１に示すように、本発明の他の実施形態による光感知部４００は、複数のセンサーＴＦＴ（ＴＲ２）、複数の第１ストレージキャパシタＣｓ１、第１リードアウト配線ＲＬ１、及びシールド配線ＳＬを含む。
【０１０７】
前記シールド配線ＳＬは前記第１周辺領域ＰＡ１で前記第２駆動電圧配線ＶＯＦＦＬと電気的に接続され、前記シールド配線ＳＬには前記第２駆動電圧ＶＯＦＦが提供される。前記シールド配線ＳＬは前記第１リードアウト配線ＲＬ１の上部に具備され、前記第１リードアウト配線ＲＬ１を保護する。従って、シールド配線ＳＬは前記第１リードアウト配線ＲＬ１を通過する信号の流れの妨害する各種のノイズを遮蔽して前記第１リードアウト配線ＲＬ１を通過する信号の歪曲を防止する。
【０１０８】
前記シールド配線ＳＬは前記第１リードアウト配線ＲＬ１と電気的に絶縁されて向き合う。従って、前記シールド配線ＳＬと第１リードアウト配線ＲＬ１との間にはダミーキャパシタＣｄが形成され、前記ダミーキャパシタＣｄは前記第１ストレージキャパシタＣｓ１と並列連結される。一方、前記シールド配線ＳＬには前記第２駆動電圧ＶＯＦＦではなくグラウンド電圧が提供されることができる。
【０１０９】
前記シールド配線ＳＬについては以後、図１２を参照して具体的に説明する。
【０１１０】
図１２は図１０に示された液晶表示パネルの断面図である。
【０１１１】
図１２に示すように、液晶表示パネル１００は、下部基板１０１、前記下部基板１０１と向き合う上部基板１０２、及び前記下部基板１０１と上部基板１０２との間に介在された液晶層１０３で構成される。
【０１１２】
前記液晶表示パネル１００の表示領域ＤＡに対応して前記下部基板１０１には第１金属膜からなる画素ＴＦＴ（ＴＲ１）のゲート電極ＧＥ１、センサーＴＦＴ（ＴＲ２）のゲート電極ＧＥ２及び第１ストレージキャパシタＣｓ１の第１電極ＬＥ１が形成される。前記第１金属膜上にはシリコン窒化膜ＳｉＮｘまたはシリコン酸化膜ＳｉＯｘからなるゲート絶縁膜１１２が形成される。
【０１１３】
前記ゲート絶縁膜１１２上には第２金属膜からなる前記画素ＴＦＴ（ＴＲ１）のソース電極ＳＥ１、前記ソース電極ＳＥ１と離隔されたドレイン電極ＤＥ１、前記センサーＴＦＴ（ＴＲ２）のソース電極ＳＥ２、前記ソース電極ＳＥ２と離隔されたドレイン電極ＤＥ２及び第１ストレージキャパシタＣｓ１の第２電極ＵＥ１が具備される。
【０１１４】
前記第１リードアウト配線ＲＬ１は、前記センサーＴＦＴ（ＴＲ２）のソース電極ＳＥ２と前記第１ストレージキャパシタＣｓ１の第２電極ＵＥ１に電気的に結合される。このとき、前記第１リードアウト配線ＲＬ１は前記第１または第２金属膜のうち、いずれか一つからなることができるが、図１２では前記第１リードアウト配線ＲＬ１が前記第２金属膜からなることを図示した。
【０１１５】
前記下部基板１０１上に前記画素ＴＦＴ（ＴＲ１）、センサーＴＦＴ（ＴＲ２）及び第１ストレージキャパシタＣｓ１が完成されると、その上に有機絶縁膜１１４が形成される。前記有機絶縁膜１１４には前記画素ＴＦＴ（ＴＲ１）のドレイン電極ＤＥ１を露出させるコンタクトホール１１４ａが形成される。前記有機絶縁膜１１４上にはインジウムすず酸化物ＩＴＯ、またはインジウム亜鉛酸化物ＩＺＯからなる画素電極ＰＥが形成される。前記画素電極ＰＥは前記コンタクトホール１１４ａを通じて前記画素ＴＦＴ（ＴＲ１）のドレイン電極ＤＥ１と電気的に連結される。
【０１１６】
また、前記有機絶縁膜１１４上には前記ＩＴＯまたはＩＺＯからなるシールド配線ＳＬが形成される。前記シールド配線ＳＬは前記有機絶縁膜１１４を間に置いて前記第１リードアウト配線ＲＬ１と向き合う。従って、前記シールド配線ＳＬと前記第１リードアウト配線ＲＬ１との間にはダミーキャパシタＣｄが形成される。
【０１１７】
一方、前記上部基板１０２には前記ＩＴＯまたはＩＺＯからなる共通電極ＣＥが形成される。前記共通電極ＣＥは前記液晶層１０３を間におき、向き合う前記画素電極ＰＥと共に液晶キャパシタＣｌｃを形成する。
【０１１８】
前記共通電極ＣＥと前記第１リードアウト配線ＲＬ１との間には寄生キャパシタンスＣｐが形成され、前記寄生キャパシタンスＣｐは前記第１リードアウト配線ＲＬ１を通過する前記第１電圧Ｖ１を歪曲させる要因として作用する。従って、前記寄生キャパシタンスＣｐが減少されてこそ前記第１電圧Ｖ１の歪曲が防止される。
【数式１】
【０１１９】
0004758096.tif 000002
数式１で、Ｖｎｌは前記シールド配線ＳＬを形成する以前に前記第１電圧Ｖ１を歪曲させる第１ノイズ電圧Ｖｎ１である。数式１によると、前記第１ノイズ電圧Ｖｎ１は前記寄生キャパシタンスＣｐ及び前記第１リードアウト配線ＲＬ１に結合されるキャパシタンスＣｓ１によって決定される。前記シールド配線ＳＬが形成される以前に、前記第１リードアウト配線ＲＬ１には前記第１ストレージキャパシタＣｓ１のみが連結される。
【０１２０】
一方、前記シールド配線ＳＬが形成されると、第２ノイズ電圧Ｖｎ２は数式２を満足する。
【数式２】
【０１２１】
0004758096.tif 000003
前記シールド配線ＳＬによって前記第１リードアウト配線ＲＬ１には前記第１ストレージキャパシタＣｓ１だけではなく、ダミーキャパシタＣｄが連結される。従って、前記第２ノイズ電圧Ｖｎ２は前記第１ノイズ電圧Ｖｎ１より小さくなる。前記ダミーキャパシタンスＣｄが増加されるほどそれに比例して前記第２ノイズ電圧Ｖｎ２が減少され前記第１電圧Ｖ１の歪曲が減少する。
【０１２２】
このような表示装置によると、画像を表示する表示パネルに外部光を感知する光感知部を具備し、第２駆動部は前記光感知部によって感知された前記外部光の光量に従って内部光を生成する光発生部の駆動を制御する。
【０１２３】
従って、表示装置は外部光の光量によって光発生部をオン/オフさせることができ、表示装置を駆動するに消費される電力を節減させることができる。
【０１２４】
外部光の光量に対応する第１電圧を出力する第１リードアウト配線はシールド配線によって遮蔽されることで、第１リードアウト配線を通過する第１電圧の歪曲が減少する。従って、第１電圧の歪曲に起因する光発生部の後動作を防止することができる。
【０１２５】
以上、本発明の実施例によって詳細に説明したが、本発明はこれに限定されず、本発明が属する技術分野において通常の知識を有する者であれば、本発明の思想と精神を離れることなく、本発明を修正または変更できる。
【図面の簡単な説明】
【０１２６】
【図１】本発明の一実施形態による液晶表示装置のブロック図である。
【図２】図１に示された液晶表示装置の平面図である。
【図３】図２に示された液晶表示装置の断面図である。
【図４】本発明の他の実施形態による液晶表示装置を具体的に示す平面図である。
【図５】本発明のさらにまたの実施形態による液晶表示装置を具体的に示す平面図である。
【図６】図１に示された液晶表示装置を具体的に示す回路図である。
【図７】ゲート駆動チップの入/出力波形図である。
【図８】図６に示された光感知部の構成を具体的に示す回路図である。
【図９】図１に示された各ノードの出力波形図である。
【図１０】図１に示された液晶表示パネルを具体的に示す回路図である。
【図１１】図１０に示された光感知部の構成を具体的に示す回路図である。
【図１２】図１０に示された液晶表示パネルの断面図である。
【符号の説明】
【０１２７】
１００      液晶表示パネル
１０１、１１０      下部基板
１０２、１２０      上部基板
１０３      液晶層
１２１      遮光膜
１２２      カラーフィルター
１３０      液晶層
１３５      結合部材
２００      第１駆動部
２１０      ゲート駆動チップ
２２０      データ駆動チップ
３００      光発生部
４００      光感知部
６００      第２駆動部
７００、７２０      液晶表示装置
【図１】
0004758096.tif 000004
【図２】
0004758096.tif 000005
【図３】
0004758096.tif 000006
【図４】
0004758096.tif 000007
【図５】
0004758096.tif 000008
【図６】
0004758096.tif 000009
【図７】
0004758096.tif 000010
【図８】
0004758096.tif 000011
【図９】
0004758096.tif 000012
【図１０】
0004758096.tif 000013
【図１１】
0004758096.tif 000014
【図１２】
0004758096.tif 000015